(57)【要約】【課題】ユーザが最も番組情報の表示を必要とする番組の終了際であって、番組終了直前のＣＭ放送中に番組案内画面を表示し、表示中の番組本編の画像が隠されることを防止すると共に、ＣＭ放送中の番組案内画面の表示を最小限に抑えることが出来る受信装置を提供する。【解決手段】ＣＰＵ７が受信した番組情報から現在視聴している番組の終了時刻を取得する。ＣＰＵ７は計時部１５の計時結果に基づき、現時刻が前記終了時刻から所定時間前であるか否かを判定する。ＣＰＵ７が終了時刻から所定時間前であると判定した場合、表示部８へＥＰＧ画面（番組案内画面）を表示する。【選択図】図１
2008306301.tif 000002
【特許請求の範囲】
【請求項１】
受信した番組情報に基づく番組案内画面を、表示部に表示する受信装置において、
前記表示部に表示中の番組の終了時刻を前記番組情報から取得する取得手段と、
現時刻が前記終了時刻から所定時間前であるか否かを判定する判定手段と、
該判定手段が終了時刻から所定時間前であると判定した場合、前記番組案内画面の表示を指示する指示手段と
を備えることを特徴とする受信装置。
【請求項２】
受信した番組情報に基づく番組案内画面を、内部又は外部の表示部に表示する受信装置において、
前記表示部に表示中の番組の終了時刻を前記番組情報から取得する取得手段と、
現時刻が取得された終了時刻から所定時間前であるか否かを判定する判定手段と、
該判定手段が終了時刻から所定時間前であると判定した場合、前記終了時刻前におけるコマーシャル放送の検出を開始する検出手段と、
該検出手段がコマーシャル放送を検出した場合、前記番組案内画面の表示を指示する指示手段と
を備えることを特徴とする受信装置。
【請求項３】
前記所定時間の設定を受け付ける受付手段を備えることを特徴とする請求項１又は請求項２に記載の受信装置。
【発明の詳細な説明】
【技術分野】
【０００１】
本発明は、受信した番組情報に基づく番組案内画面を、表示部に表示する受信装置に関する。
【背景技術】
【０００２】
技術の発展は人々の生活に利便さをもたらしている。その一つの例として、近年、市販されているテレビジョン受像機等のテレビジョン信号受信装置に搭載されている、ＥＰＧ（Electric Program Guide）又は電子番組表などと呼ばれる機能が挙げられる。
【０００３】
前記ＥＰＧ機能は、放送波に含まれているＥＰＧ情報に基づき、新聞のテレビ番組表のような各チャンネルの各番組情報を含む番組案内画面がテレビジョン受像機に表示されるものであり、ユーザは別途新聞や雑誌のテレビ番組表を見ることなく、前記番組案内画面から視聴したい番組を直接選択することができる。
【０００４】
ひいては、電子番組表の表示においても、使用上の利便さを考慮した様々な技術が提案されている。例えば、特許文献１では、表示している番組の画像を縮小することなく、かつ、表示している番組の画像をできるだけ隠さずに、番組情報を必要最小限の領域内で表示するようにし、番組情報の表示を行っている際にも、表示していた番組の画像の鑑賞性をできるだけ損なわないようにするデジタル放送受信システムを提案している。
【０００５】
また、特許文献２では、オンスクリーン表示情報が表示されている表示画面またはオンスクリーン表示情報の表示位置上の映像信号の動きを検出し、動きのある場合にはオンスクリーン表示情報または表示画面の状態を変更することによりユーザは動きのある画像を邪魔されることなく視聴することができる情報表示装置を提案している。
【０００６】
また、特許文献３では、コマーシャルメッセージ（以下、ＣＭという）を検出する検出部を備え、ＣＭ放送の時にはメモリに記録しているＥＰＧ情報に基づく番組情報を表示し、ＣＭ放送終了時には前記番組情報を消して元の画面を表示するテレビ放送受信機を提案している。
【特許文献１】特開２００３−３０６６９５号公報
【特許文献２】特開２００５−２４２２０４号公報
【特許文献３】特開２００２−５７９５６号公報
【発明の開示】
【発明が解決しようとする課題】
【０００７】
しかしながら、特許文献１のデジタル放送受信システム及び特許文献２の情報表示装置の場合は、番組情報の表示領域を必要最小限の大きさにし、表示中の番組の画像が覆われて隠されることをできるだけ防ぐことが出来るが、いずれにしても、表示中の番組の画像の一部が隠されることは避けることが出来ない。
【０００８】
また、特許文献３のテレビ放送受信機の場合は、表示中の番組の画像が隠されることは防止出来るが、ＣＭが放送される度に番組情報が表示されるので、ユーザが煩わしく感じられる虞がある。また、ユーザによっては自ら好んでＣＭを視聴する場合もあり、このようなユーザに対して、ＣＭ放送中の番組情報の表示は不愉快感を与える虞がある。
【０００９】
ところが、日本民間放送連盟放送基準によると、番組の放送はオープニング、本編及びエンディングから構成されており、ＣＭはオープニング及び本編の間と、本編の途中と、本編とエンディングの間に放送されている。一方、ユーザにとって番組案内画面の表示が最も必要とされるタイミングは番組のエンディングの際であり、前記ＥＰＧ情報に基づく番組案内画面の表示においては前記エンディング時刻が番組終了時刻として表示される。
【００１０】
本発明者はこのような事に着目し、本発明をなした。本発明の目的は、表示部に番組を表示している場合、前記番組の終了に先立って前記番組案内画面を表示部へ表示することにより、ユーザが最も番組案内画面の表示を必要とする番組の終了際であって、番組終了直前のＣＭ放送中に番組案内画面を表示し、表示中の番組本編の画像が隠されることを防止すると共に、ＣＭ放送中の番組案内画面の表示を最小限に抑えることが出来る受信装置を提供することにある。
【００１１】
また、本発明の他の目的は、前記所定時間の設定を受け付ける受付手段を備えることにより、ユーザが必要に応じて前記所定期間を設定することを可能とし、前記所定時間の変更が可能である受信装置を提供することにある。
【課題を解決するための手段】
【００１２】
本発明に係る受信装置は、受信した番組情報に基づく番組案内画面を、表示部に表示する受信装置において、前記表示部に表示中の番組の終了時刻を前記番組情報から取得する取得手段と、現時刻が前記終了時刻から所定時間前であるか否かを判定する判定手段と、該判定手段が終了時刻から所定時間前であると判定した場合、前記番組案内画面の表示を指示する指示手段とを備えることを特徴とする。
【００１３】
本発明にあっては、前記取得手段が前記番組情報から現在視聴している番組の終了時刻を取得する。前記判定手段は前記取得手段により取得された終了時刻から所定時間前であるか否かを判定し、前記判定手段が終了時刻から所定時間前であると判定した場合、前記表示部へ前記番組案内画面を表示する。ユーザは前記番組案内画面を用い、新しい番組の選択を行う。
【００１４】
本発明に係る受信装置は、受信した番組情報に基づく番組案内画面を、内部又は外部の表示部に表示する受信装置において、前記表示部に表示中の番組の終了時刻を前記番組情報から取得する取得手段と、現時刻が取得された終了時刻から所定時間前であるか否かを判定する判定手段と、該判定手段が終了時刻から所定時間前であると判定した場合、前記終了時刻前におけるコマーシャル放送の検出を開始する検出手段と、該検出手段がコマーシャル放送を検出した場合、前記番組案内画面の表示を指示する指示手段とを備えることを特徴とする。
【００１５】
本発明にあっては、前記取得手段が前記番組情報から現在視聴している番組の終了時刻を取得する。前記判定手段は前記取得手段により取得された終了時刻から所定時間前であるか否かを判定し、該判定手段が終了時刻から所定時間前であると判定した場合、前記検出手段は、コマーシャル放送の検出を開始する。前記検出手段がコマーシャル放送を検出した場合、前記表示部へ前記番組案内画面を表示する。ユーザは前記番組案内画面を用い、新しい番組の選択を行う。
【００１６】
本発明に係る受信装置は、前記所定時間の設定を受け付ける受付手段を備えることを特徴とする。
【００１７】
本発明にあっては、ユーザの操作によって前記受付手段は前記所定時間の設定を受付ける。ユーザは必要に応じて前記所定時間の設定を変更させる。
【発明の効果】
【００１８】
本発明によれば、ユーザが最も番組案内画面の表示を必要とする番組の終了際であって、番組終了直前のＣＭ放送中に番組案内画面を表示するので、表示中の番組本編の画像が番組案内画面の表示によって隠されることを防止すると共に、ＣＭ放送中の番組案内画面の表示を最小限に抑えることが出来る。
【００１９】
本発明によれば、ユーザが必要に応じて前記所定時間の設定を変更することが可能である。  
【発明を実施するための最良の形態】
【００２０】
（実施の形態１）
以下、デジタル放送受信装置を例として、本発明の実施の形態１に係る受信装置を説明する。
【００２１】
図１は、本発明の実施の形態１に係る受信装置の要部構成を示すブロック図である。実施の形態１に係る受信装置は、デジタル放送信号を受信するアンテナ１を備え、アンテナ１は受信したデジタル放送信号をデジタルチューナ部２Ａに出力する。  
【００２２】
デジタルチューナ部２Ａは、復調回路、逆インタリーブ回路、誤り訂正回路などを備え、選択したデジタル変調信号を復調してトランスポート・ストリームをＤＥＭＵＸ（デマルチプレクサ）３に出力する。
【００２３】
ＤＥＭＵＸ３は、デジタルチューナ部２Ａから出力されたトランスポート・ストリームを、ＭＰＥＧ２（Moving Picture Experts Group２）のビデオストリーム、オーディオストリーム、及びＰＳＩ／ＳＩ（Program Specific Information／Service Information）等に分離する。また、ＤＥＭＵＸ３は、ビデオストリーム及びオーディオストリームをデジタル放送信号処理部４に出力すると共に、ＰＳＩ／ＳＩに含まれるＥＰＧデータなどをＣＰＵ７に送出する。トランスポート・ストリームには複数のチャンネルが多重化されているが、任意のチャンネルがトランスポート・ストリーム中でどのパケットＩＤに多重化されているかに係るデータを前記ＰＳＩ／ＳＩから取り出すことで可能であるので、前記複数のチャンネルから任意のチャンネルを選択することが出来る。
【００２４】
デジタル放送信号処理部４は、ビデオストリームに対してデコードを行い、画像データを生成するビデオデコーダと、オーディオストリームに対してデコードを行い、音声データを生成するオーディオデコーダとを備える。デコードにより生成された画像データ及び音声データは、Ｄ／Ａ変換されて画像信号／音声信号に変換され、出力処理部５に出力される。
【００２５】
出力処理部５は、デジタル放送信号処理部４から出力された画像信号のなかの輝度信号及び色信号を、表示部８を駆動するのに必要な大きさに増幅し、液晶パネル、ＣＲＴ等の表示部８に出力する。また、出力処理部５はデジタル放送信号処理部４から出力された音声信号を増幅してスピーカ９に出力する。更に、出力処理部５は、後述するＯＳＤ（オンスクリーンディスプレイ）回路６から出力されるＯＳＤ信号を前記画像信号に組み込む処理を行う。
【００２６】
ＯＳＤ回路６は、ＣＰＵ７からの指示に基づいて文字情報や色情報に基づく画像データを処理し、ＯＳＤ信号として出力処理部５に出力する。このＯＳＤ回路６により、ＥＰＧ画面（番組案内画面）、メニュー画面、メッセージ、各種設定画面などの表示が行えることになる。
【００２７】
例えば、ＲＡＭ、ＥＥＰＲＯＭ、フラッシュメモリ等の記憶部１１には、ＥＰＧデータ、各種設定情報などが記憶される。
【００２８】
ＣＰＵ７は、デジタルチューナ部２Ａへチャンネル選局を指示し、ＤＥＭＵＸ３から送出されるＥＰＧデータを記憶部１１に記憶し、前記ＥＰＧデータから所定番組の終了時刻を取得し、該終了時刻の所定時間前にＯＳＤ回路６へＥＰＧ画面の表示を指示する等の処理を行う。
【００２９】
前記所定時間は工場出荷時からデフォルトとして設定されているが、後述する受付部１０を用いてユーザが前記所定時間を設定することも可能である。この場合、一の番組の本編とエンディングとの間に挟まれるＣＭの表示時間を考慮し、３０秒〜５分の範囲内が望ましい。
【００３０】
また、リモートコントローラ等の受付部（受付手段）１０及び計時部１５を備えており、ユーザは受付部１０を操作することにより、視聴したい番組の選択、前記所定時間の設定等を行うことが出来る。
【００３１】
図２は、本発明の実施の形態１に係る受信装置のＥＰＧ画面の表示におけるＣＰＵ７の処理手順を説明するフローチャートである。説明の便宜上、受信したデジタル放送信号から抽出され、ＤＥＭＵＸ３から送出されたＥＰＧデータが、既に記憶部１１に記憶されているとする。
【００３２】
ユーザが受付部１０を操作して視聴したいチャンネルを選択することによって、チャンネル選択指示を取得する（Ｓ１０１）。ＣＰＵ７はチャンネル選択指示に応じ、デジタルチューナ部２Ａに選択されたチャンネル（以下、被選択チャンネル）の選局を指示する（Ｓ１０２）。デジタルチューナ部２ＡはＣＰＵ７の指示に応じて被選択チャンネルを選局し、選局された被選択チャンネルの画像及び音声が表示部８及びスピーカ９に夫々出力される。
【００３３】
次いで、ＣＰＵ７は、表示部８及びスピーカ９に出力されている番組の終了時刻を、記憶部１１に記憶されているＥＰＧデータから取得し（Ｓ１０３）、記憶部１１に記憶する。ＣＰＵ７は計時部１５に計時を指示する（Ｓ１０４）。その後、ＣＰＵ７は計時部１５の計時結果に基づき、現時刻が取得された終了時刻から所定時間前であるか否かを判定する（Ｓ１０５）。
【００３４】
ＣＰＵ７は現時刻が取得された終了時刻から所定時間前でないと判定した場合（Ｓ１０５：ＮＯ）、取得された終了時刻から所定時間前まで待つ。一方、ＣＰＵ７は現時刻が取得された終了時刻から所定時間前であると判定した場合（Ｓ１０５：ＹＥＳ）、ＯＳＤ回路６にＥＰＧ画面の表示を指示する（Ｓ１０６）。ＣＰＵ７の指示に応じてＯＳＤ回路６は、記憶部１１に記憶されているＥＰＧデータに基づくＥＰＧ画面を表示部８に表示する。
【００３５】
ＥＰＧデータから取得された番組の終了時刻は該番組のエンディングの時刻を示すので、前記所定時間を３０秒〜５分の範囲に設定した場合、前記ＥＰＧ画面の表示は、前記番組の本編及びエンディングの間のＣＭ表示中に行われることとなる。従って、視聴中の番組の画像がＥＰＧ画面の表示によって隠れることはない。また、ユーザが受付部１０を操作して前記所定時間を３０秒〜５分の範囲内で設定した場合、ユーザは表示されたＥＰＧ画面の確認を行って新しい番組を選択するまでを、引き続く番組の開始前に完了するために十分な時間を確保することが可能になる。
【００３６】
表示部８に表示されたＥＰＧ画面を参考に、ユーザは同チャンネルの引き続く番組及び他チャンネルの番組の確認を行い、受付部１０を操作して新しい番組の選択を行う。
【００３７】
次いで、ＣＰＵはチャンネル選択指示を取得したか否かを判定する（Ｓ１０７）。ＣＰＵ７はチャンネル選択指示を取得していないと判定した場合（Ｓ１０７：ＮＯ）、チャンネル選択指示を取得するまで待つ。一方、ＣＰＵ７はチャンネル選択指示を取得したと判定した場合（Ｓ１０７：ＹＥＳ）、デジタルチューナ部２Ａに、被選択チャンネルの選局を指示し（Ｓ１０８）、ＥＰＧ画面の表示を終了させる。デジタルチューナ部２ＡはＣＰＵ７の指示に応じて被選択チャンネルを選局し、選局された被選択チャンネルの画像及び音声が表示部８及びスピーカ９に夫々出力される。
【００３８】
実施の形態１においては、Ｓ１０７にて、ＥＰＧ画面の表示後、ユーザからチャンネル選択指示を受け付けるまで待つ処理を例として説明したが、これに限るものでない。例えば、ＥＰＧ画面を表示し、一定時間経過時までユーザからのチャンネル選択指示を受け付けていない場合は、ＥＰＧ画面の表示を終了し、視聴中のチャンネルの画像を表示するように構成しても良い。
【００３９】
実施の形態１においては、本発明に係る受信装置を、デジタル放送受信装置を例として説明したが、これに限るものでなく、アナログ放送受信装置であっても良い。アナログ放送受信装置においては、ＥＰＧデコーダを備えることによってＥＰＧデータを取得することが可能となり、前記ＥＰＧデータから番組の終了時刻の取得及びＥＰＧ画面の表示が可能となる。また、本発明はサイマルキャスト対応の受信装置にも適用可能であることは言うまでもない。
【００４０】
（実施の形態２）
以下、アナログ放送受信装置を例として、本発明の実施の形態２に係る受信装置を説明する。
【００４１】
図３は、本発明の実施の形態２に係る受信装置の要部構成を示すブロック図である。実施の形態２に係る受信装置は、アナログ放送信号を受信するアンテナ１を備え、アンテナ１は受信したアナログ放送信号をアナログチューナ部２Ｂに出力する。
【００４２】
アナログチューナ部２Ｂは、受信ＲＦ信号を増幅する初段増幅器、外部からの制御電圧によってゲインを可変とするＡＧＣアンプ、電圧制御発振器で発生するローカル周波数と受信ＲＦ（高周波信号）信号との差周波数である中間周波（ＩＦ）信号を生成するミキサ及び中間周波増幅器等を備えており、アンテナ１からのＲＦを選局して中間周波に変換して画像／音声ＩＦ回路１３に出力する。
【００４３】
画像／音声ＩＦ回路１３は各種のトラップ回路を備え、アナログチューナ部２Ｂから出力される中間周波数の信号のなかから必要な帯域の周波数を高利得で増幅し、検波回路１４に出力する。検波回路１４は、増幅された中間周波数の画像信号を検波してカラーテレビ信号（輝度信号、色信号、同期信号）を取り出すと共に中間周波数の音声信号を検波し、出力処理部５及びＣＰＵ７送出する。
【００４４】
また、実施の形態２に係る受信装置はＥＰＧデコーダ１２を備えており、ＥＰＧデコーダ１２は、復調により得られたコンポジット画像信号にデジタルデータとして挿入されているＥＰＧデータ（放送局名、番組名、番組開始／終了時刻等）を抽出し、ＣＰＵ７に送出する。
【００４５】
出力処理部５は、検波回路１４から出力されたカラーテレビ信号のなかの輝度信号を表示部８を駆動するのに必要な大きさに増幅したり、色副搬送波を発生し、これを用いて搬送色信号から色差信号を復調するなどの処理を行い、処理された信号を表示部８に出力する。また、検波回路１４から出力された音声信号を増幅してスピーカ９に出力する。更に、出力処理部５は、ＯＳＤ回路６から出力されるＯＳＤ信号を前記画像信号に組み込む処理を行う。
【００４６】
ＯＳＤ回路６は、ＣＰＵ７からの指示に応じて文字情報や色情報に基づく画像データを処理し、ＯＳＤ信号として出力処理部５に出力する。ＯＳＤ回路６により、ＥＰＧ画面（番組案内画面）、メニュー画面、メッセージ、各種設定画面などの表示が行えることになる。
【００４７】
ＣＰＵ７は、アナログチューナ部２Ｂへチャンネル選局を指示し、ＯＳＤ回路６へＥＰＧ画面の表示を指示し、ＥＰＧデコーダ１２から送出されるＥＰＧデータを記憶部１１に記憶し、前記ＥＰＧデータから所定番組の終了時刻を取得し、前記終了時刻から所定時間前からＣＭを検出する等の処理を行う。
【００４８】
また、実施の形態２に係る受信装置は、記憶部１１、受付部１０及び計時部１５を更に備えている。
【００４９】
図４は、本発明の実施の形態２に係る受信装置のＥＰＧ画面の表示におけるＣＰＵ７の処理手順を説明するフローチャートである。説明の便宜上、受信したアナログ放送信号から抽出され、ＥＰＧデコーダ１２から送出されたＥＰＧデータが、既に記憶部１１に記憶されているとする。
【００５０】
ユーザが受付部１０を操作して視聴したいチャンネルを選択することによって、チャンネル選択指示を取得する（Ｓ２０１）。ＣＰＵ７はチャンネル選択指示に応じ、アナログチューナ部２Ｂに被選択チャンネルの選局を指示する（Ｓ２０２）。アナログチューナ部２ＢはＣＰＵ７の指示に応じて被選択チャンネルを選局し、選局された被選択チャンネルの画像及び音声が表示部８及びスピーカ９に夫々出力される。
【００５１】
次いで、ＣＰＵ７は、表示部８及びスピーカ９に出力されている番組の終了時刻を、記憶部１１に記憶されているＥＰＧデータから取得し（Ｓ２０３）、記憶部１１に記憶する。ＣＰＵ７は計時部１５に計時を指示する（Ｓ２０４）。その後、ＣＰＵ７は計時部１５の計時結果に基づき、現時刻が取得された終了時刻から所定時間前であるか否かを判定する（Ｓ２０５）。
【００５２】
ＣＰＵ７は現時刻が取得された終了時刻から所定時間前でないと判定した場合（Ｓ２０５：ＮＯ）、取得された終了時刻から所定時間前まで待つ。一方、ＣＰＵ７は現時刻が取得された終了時刻から所定時間前であると判定した場合（Ｓ２０５：ＹＥＳ）、検波回路１４から送出された画像信号又は音声信号に基づき、ＣＭの放送の検出を開始する（Ｓ２０６）。
【００５３】
前記ＣＭの放送の検出は、従来から広く知られている手法を利用する。例えばＣＭの放送はステレオ放送で行われることが多いことから、モノラル放送信号からステレオ放送信号への切替を検出する手法、画像信号におけるカットシーン間の距離分布に基づき検出する手法、各パイロット信号の切り替わりを検出する手法等が挙げられる。
【００５４】
次いで、ＣＰＵ７は、ＣＭの放送が検出されたか否かを判定する（Ｓ２０７）。ＣＰＵ７はＣＭの放送が検出されていないと判定した場合（Ｓ２０７：ＮＯ）、ＣＭの放送が検出されるまで待つ。一方、ＣＰＵ７はＣＭの放送が検出されたと判定した場合（Ｓ２０７：ＹＥＳ）、ＯＳＤ回路６にＥＰＧ画面の表示を指示する（Ｓ２０８）。ＣＰＵ７の指示に応じてＯＳＤ回路６は、記憶部１１に記憶されているＥＰＧデータに基づくＥＰＧ画面を前記表示部８に表示する。
【００５５】
一般的に番組は本編及びエンディングの間にＣＭが挟まれるので、前記所定時間を３０秒〜５分の範囲に設定してＣＭに係る信号の検出を行った場合、前記ＥＰＧ画面の表示は、前記番組の本編及びエンディングの間のＣＭ表示中に行われることとなる。従って、視聴中の番組の画像がＥＰＧ画面の表示によって隠れることはない。また、前記所定時間を３０秒〜５分の範囲に設定することにより、ユーザが表示されたＥＰＧ画面を確認した上、新しい番組を選択するまでを、引き続く番組の開始前に完了するように時間を確保することが可能になる。
【００５６】
表示部８に表示されたＥＰＧ画面を参考に、ユーザは同チャンネルの引き続く番組及び他チャンネルの番組の確認を行い、受付部１０を操作して新しい番組の選択を行う。
【００５７】
次いで、ＣＰＵはチャンネル選択指示を取得したのか否かを判定する（Ｓ２０９）。ＣＰＵ７はチャンネル選択指示を取得していないと判定した場合（Ｓ２０９：ＮＯ）、チャンネル選択指示を取得するまで待つ。一方、ＣＰＵ７はチャンネル選択指示を取得したと判定した場合（Ｓ２０９：ＹＥＳ）、アナログチューナ部２Ｂに、被選択チャンネルの選局を指示し（Ｓ２１０）、ＥＰＧ画面の表示を終了させる。アナログチューナ部２ＢはＣＰＵ７の指示に応じて被選択チャンネルを選局し、選局された被選択チャンネルの画像及び音声が表示部８及びスピーカ９に夫々出力される。
【００５８】
実施の形態２においては、Ｓ２０９にて、ＥＰＧ画面の表示後、ユーザからチャンネル選択指示を受け付けるまで待つ処理を例として説明したが、これに限るものでない。例えば、ＥＰＧ画面を表示し、一定時間経過時までにユーザからのチャンネル選択指示を受け付けていない場合は、ＥＰＧ画面の表示を終了し、視聴中のチャンネルの画像を表示するように構成しても良い。
【００５９】
実施の形態２においては、本発明に係る受信装置を、アナログ放送受信装置を例として説明したが、これに限るものでなく、デジタル放送受信装置であっても良い。また、本発明はサイマルキャスト対応の受信装置にも適用可能であることは言うまでもない。
【００６０】
実施の形態１と同様の部分については、同一の符号を付して詳細な説明を省略する。        
【００６１】
実施の形態１及び実施の形態２においては、本発明に係る受信装置が出力部（表示部及びスピーカ）を備えている場合を例として説明したが、これに限るものでなく、セット・トップ・ボックス（ＳＥＴ・ＴＯＰ・ＢＯＸ）とも呼ばれる外付け形チューナ、「Ｇガイド」、「ＡＤＡＭＳ」等による番組データの配信サービス（ＥＰＧサービス）に対応できる通称ＨＤＤ＆ＤＶＤレコーダー等が外部出力部にＥＰＧ画面を表示する場合においても適用可能であることは言うまでもない。
【図面の簡単な説明】
【００６２】
【図１】本発明の実施の形態１に係る受信装置の要部構成を示すブロック図である。
【図２】本発明の実施の形態１に係る受信装置のＥＰＧ画面の表示におけるＣＰＵの処理手順を説明するフローチャートである。
【図３】本発明の実施の形態２に係る受信装置の要部構成を示すブロック図である。
【図４】本発明の実施の形態２に係る受信装置のＥＰＧ画面の表示におけるＣＰＵの処理手順を説明するフローチャートである。
【符号の説明】
【００６３】
３  ＤＥＭＵＸ
７  ＣＰＵ
８  表示部
１０  受付手段
１２  ＥＰＧデコーダ
１４  検波回路
【図１】
2008306301.tif 000003
【図２】
2008306301.tif 000004
【図３】
2008306301.tif 000005
【図４】
2008306301.tif 000006